(57)【要約】【課題】  制御プログラムの不正な改変を確実に防止する。【解決手段】  防犯カバーユニット２０は、上カバー３１と下カバー３２とから構成され、主制御装置１５を収納する。上カバー３１と下カバー３２とは、連結ピン４０により連結される。連結ピン４０の先端部４０ａは、先端部収納室３２ａに収納される。切断部４０ｂは、切断部収納室３１ａに収納される。後端部４０ｃは、後端部収納室３１ｂに収納される。主制御装置１５を交換する際には、切断部４０ｂをニッパ等の治具でカットする。切断部４０ｂが切断されると、切断された連結ピン４０の先端部４０ａはフック４０ｄと第１突起４０ｆとにより先端部収納室３２ａに脱不可状態で残され、後端部４０ｃは第２突起４０ｇにより後端部収納室３１ｂに脱不可状態で残される。【選択図】        図７
2005080685.tif 000002
【特許請求の範囲】
【請求項１】
遊技を行う際に作動させる駆動装置と、制御プログラムに従って前記駆動装置を制御する制御装置とを備えた遊技機において、
前記制御手段を収容または装着の少なくとも何れかを行い、遊技機本体に取り付けられる下カバーと、
前記下カバーに着脱可能に取り付けられ、下カバーとにより前記制御手段をその全周を覆うように収容または装着の少なくとも何れかを行う上カバーと、
前記上カバーと下カバーとを連結する連結部材と、
前記上カバーと下カバーとの何れか一方に設けられ、前記連結部材の先端部を収納し、この先端部を脱不可状態にする先端部収納室と、
前記上カバーまたは下カバーの何れか一方であって、前記先端部収納室が設けられたものの他方に設けられ、前記連結部材を先端部が先端部収納室に収納された状態のままで切断する切断室とを備えたことを特徴とする遊技機。
【請求項２】
前記切断室が設けられた上カバーと下カバーとの何れか一方は、前記連結部材の後端部を収納し、この後端部を脱不可状態にする後端部収納室を備えることを特徴とする請求項１記載の遊技機。
【請求項３】
前記上カバーと下カバーとのうち少なくとも上カバーをカバー内部が視認可能な透明な樹脂から構成したことを特徴とする請求項１または２記載の遊技機。
【発明の詳細な説明】
【技術分野】
【０００１】
本発明は、パチンコ店等の遊技場に設置して使用されるパチンコ機等の遊技機に関し、更に詳しくは、遊技に用いられる駆動装置を制御プログラムに従って制御する制御装置を備えた遊技機に関するものである。
【背景技術】
【０００２】
遊技場に設置されるパチンコ機やスロットマシン等の遊技機は、遊技盤や本体枠に、遊技媒体の供給に基づいて作動させるランプ装置や音声発生装置などの様々な各種駆動装置及びこれら駆動装置を制御させるために対応させた各種制御装置（手段) を備えており、遊技者が遊技を行う際にこれらを適宜作動させることによって遊技を興趣に溢れたものとしている。また、近年では、リール表示装置または液晶画像表示装置等の図柄表示装置を備えて遊技に用いているものも多い。これらの装置は遊技機の内部に配設された制御装置によって制御されている。
【０００３】
最近の遊技機の内部に配設されている制御装置は、基板上に設けられたＣＰＵ（ｃｅｎｔｒａｌ  ｐｒｏｃｅｓｓｉｎｇ  ｕｎｉｔ）が制御プログラムに従って電子制御を行うものが一般的である。制御プログラムは、マスクＲＯＭ（ｒｅａｄ  ｏｎｌｙ  ｍｅｍｏｒｙ）のような基板上に装着されたＩＣチップにデータとして記憶されており、ＣＰＵは、遊技状態に応じてＩＣチップから制御プログラムのデータを逐次読み出して実行することによって制御を行っている。
【０００４】
また、遊技場に設置される遊技機は、制御プログラムが不正に改変されないよう管理されており、制御プログラムのデータが記憶されたＩＣチップは、装着されている基板上から容易に外すことができないよう、前記基板に防犯カバーを取り付けて封印シールが貼付されるなどして、制御プログラムが不正に改変されないように配慮がなされている。
【発明の開示】
【発明が解決しようとする課題】
【０００５】
しかしながら、上記のような遊技機であっては、封印シールなどは近年では簡単に複製することができ、ＩＣチップを不正に交換後、その複製封印シールを貼付することにより、遊技場管理者は不正なＩＣチップの交換を発見することができず、制御プログラムの不正な改変防止の面ではセキュリティーの信頼性に欠けるものであった。
【０００６】
本発明は、上記従来技術の問題を解決するためになされたものであり、制御プログラムの不当な改変を確実に防止することができる遊技機を提供することを目的とする。
【課題を解決するための手段】
【０００７】
上記目的を達成するために、本発明の遊技機は、遊技を行う際に作動させる駆動装置と、制御プログラムに従って前記駆動装置を制御する制御装置とを備えたものであり、前記制御手段を収容または装着の少なくとも何れかを行い、遊技機本体に取り付けられる下カバーと、前記下カバーに着脱可能に取り付けられ、下カバーとにより前記制御手段をその全周を覆うように収容または装着の少なくとも何れかを行う上カバーと、前記上カバーと下カバーとを連結する連結部材と、前記上カバーと下カバーとの何れか一方に設けられ、前記連結部材の先端部を収納し、この先端部を脱不可状態にする先端部収納室と、前記上カバーまたは下カバーの何れか一方であって、前記先端部収納室が設けられたものの他方に設けられ、前記連結部材を先端部が先端部収納室に収納された状態のままで切断する切断室とを備えたことを特徴とする。
【０００８】
なお、前記切断室が設けられた上カバーと下カバーとの何れか一方は、前記連結部材の後端部を収納し、この後端部を脱不可状態にする後端部収納室を備えることが好ましい。また、前記上カバーと下カバーとのうち少なくとも上カバーをカバー内部が視認可能な透明な樹脂から構成することが好ましい。
【発明の効果】
【０００９】
本発明の遊技機によれば、上カバーと下カバーとからなる防犯カバーユニットにより主制御装置を収納し、連結ピンにより上カバーと下カバーとを連結し、主制御装置を交換するために連結ピンを切断すると、下カバーに設けられた先端部収納室に連結ピンの先端部が残され、上カバーに設けられた後端部収納室に連結ピンの後端部が残されるから、主制御装置の不正な交換を確実に把握することができる。
【発明を実施するための最良の形態】
【００１０】
図１に本発明を用いた遊技機の１実施例であるパチンコ機の外観を示す。パチンコ機２の本体枠３の内部には遊技盤４が配設されており、遊技盤４の前面には前面枠５が開閉自在に設けられている。前面枠５の下方には、打球供給用の供給皿６及び遊技球の打ち出し強さを調節する操作ハンドル７が設けられている。遊技盤４の遊技領域４ａの略中央には所定入賞条件に基づいて遊技中に様々な図柄やキャラクタなどを液晶画面に所定時間内において変動表示する図柄表示装置８が設けられ、その周りには様々な種類の入賞口１０及びアウト口１１が設けられている。それぞれの入賞口１０の内には、入賞口１０に入った遊技球を検知する入賞球検知センサ１２が設けられている。遊技者は、供給皿６に遊技球を投入し、操作ハンドル７を操作して、遊技盤４上に遊技球を打ち出す。打ち出された遊技球は遊技領域４ａを流下する途中でいずれかの入賞口１０に入るか、あるいはアウト口１１から回収される。なお、パチンコ機２の遊技領域４ａに設けられている複数の釘、風車などの構造物は公知であるので説明は省略する。
【００１１】
なお、前面枠５が閉じている状態であるときには、遊技者や遊技場の作業者は、前面枠５に板状のガラスが装着されて形成されるガラス窓９を通して遊技盤４の遊技領域４ａ及び遊技領域４ａ上を流下していく遊技球を見ることはできるが、遊技盤４にはもちろんのこと本体枠３の内部にも触れることができないようになっている。
【００１２】
図２にパチンコ機の背面側の外観を示す。パチンコ機２の本体枠３の内部には、遊技を行う際に作動させる各種制御手段である記憶媒体や、該記憶媒体に記憶されている制御プログラムに基づいて制御する構成からなる主制御装置１５、副制御装置１６、球発射装置１７、球払出装置１８、及び主制御装置１５を収容して本体枠３の背面側に露出するように装着させる防犯カバーユニット２０が配設されている。また、本体枠３の内部にはスピーカーなどの音声発生装置２１（図３に図示）や、本体枠３及び遊技盤４上の様々な位置にランプ２２（図３に図示）が設けられており、音声発生装置２１から演出効果を持たせた音声を発生させたり、ランプ２２の点灯制御によって演出効果を出すといったことを行う。
【００１３】
図３に示すように、パチンコ機２の作動は基本的に主制御装置１５及び副制御装置１６によって管制される。
【００１４】
主制御装置１５は、メインＣＰＵ１５ａ及びメインＲＯＭ１５ｂ (記憶媒体) 及びメインＲＡＭ１５ｃから構成されている。メインＣＰＵ１５ａは、メインＲＯＭ１５ｂに記憶されている遊技制御プログラムに基づいてパチンコ機の遊技状態を制御する命令を生成すると共に、副制御装置１６に命令情報を送信して実行させる、そして、球発射装置１７及び球払出装置１８及び入力インターフェイス２３に基づく入力信号に応じて主制御装置１５は所定の遊技状態となるように制御される。メインＲＯＭ１５ｂには、遊技制御プログラムおよび乱数生成処理プログラムおよび乱数テーブルなどが所定の領域に格納されており、これらはメインＣＰＵ１５ａによって読み出され、演算処理されるように適宜用いられる。メインＲＡＭ１５ｃは、ワーキングエリアとなっており、遊技において利用されるデータなどの一時的保管や書き換えなどに用いられる。
【００１５】
副制御装置１６は、サブＣＰＵ１６ａ及びサブＲＯＭ１６ｂ及びサブＲＡＭ１６ｃから構成されている。サブＣＰＵ１６ａは、サブＲＯＭ１６ｂに格納された副制御装置用制御プログラムを適宜読み出し、主制御装置１５から命令情報として入力される制御信号に応じて、副制御用制御プログラムに従って副制御装置１６と、図柄表示装置８及び音声発生装置２１及びランプ２２との間で制御信号の入出力を行い所定の遊技状態とさせるための駆動制御をする。サブＲＡＭ１６ｃはワーキングエリアとなっており、図柄表示装置８及び音声発生装置２１及びランプ２２の制御において利用されるデータなどの一時的保管や書き換えなどに用いられる。なお、駆動制御をさせる装置は上記したものに限られず遊技領域４ａに設けた可動式の入賞装置なども含まれることとする。
【００１６】
入力インターフェイス２３は、操作ハンドル７からの、操作ハンドル７の回動量を示す信号を球発射装置１７へと入力すると共に、遊技盤４に設けられた入賞球検知センサ１２からの信号をメインＣＰＵ１５ａへと入力する。入力インターフェイス２３を介して操作ハンドル７からの信号が入力されると、球発射装置１７は駆動を開始して、操作ハンドル７の回動量に応じた打ち出し強さで遊技球を遊技盤４に打ち出す。ＣＰＵ１５ａは、入力インターフェイス２３を介して入賞球検知センサ１２からの信号が入力されると、球払出装置１８を駆動して所定個数の賞球を供給皿６上に払い出す。なお、賞球の個数は、遊技球が入った入賞口１０の種類に応じて適宜設定して良い。また、ＣＰＵ１５ａは、遊技状態を監視しており、エラーが生じた場合に球発射装置１７の作動を停止させる。
【００１７】
防犯カバーユニット２０の斜視図を図４に、分解斜視図を図５に、断面図を図６に示す。図４に示すように、防犯カバーユニット２０は、上カバー３１と下カバー３２とから構成され、下カバー３２はパチンコ機本体に取り付けられている。上カバー３１と下カバー３２とは、主制御装置１５を収納した状態で取り付けられており、これにより、主制御装置１５に対して何人も接触できないよう防護している。上カバー３１の一端に突設された上カバー軸受部３３と、下カバー３２に突設された下カバー軸受部３４とで蝶番３５を形成しており、蝶番３５によって上カバー３１は下カバー３２から分離不能になっている。上カバー３１は蝶番３５で回動することにより開閉し、開放時に主制御装置１５は新たな主制御装置と交換することのできる着脱可能な状態となり、閉鎖時に主制御装置１５は接触することのできない着脱不能な状態となる。また、上カバー３１は、透明な樹脂から形成されており、閉鎖時にその内部が視認可能となっている。
【００１８】
図４及び図５に示すように、上カバー３１と下カバー３２とは、連結部材としての連結ピン４０により連結されている。連結ピン４０は円筒状に形成されており、先端部４０ａと切断部４０ｂと後端部４０ｃとから構成される。上カバー３１には、切断部４０ｂを収納する切断部収納室３１ａと、後端部４０ｃを収納する後端部収納室３１ｂと、主制御装置１５を収納する主制御装置収納室３１ｃとが設けられている。後端部収納室３１ｂには、連結ピン４０を挿入するために、小開口３１ｄと大開口３１ｅとが設けられている。下カバー３２には、連結ピン４０の先端部４０ａを収納する先端部収納室３２ａと、主制御装置１５を収納する主制御装置収納室３２ｂとが設けられている。連結ピン４０を３本設け、それに対応して、後端部収納室３１ｂと先端部収納室３２ａとをそれぞれ３個設けたが、これに限定されることなく、それぞれの個数は適宜変更してもよい。
【００１９】
上カバー３１に設けられた切断部収納室３１ａと下カバー３２に設けられた先端部収納室３２ａとの間には、押さえ板４２が配置され、この押さえ板４２は、下カバー３２に超音波溶着される。そのため、下カバー３２には、押さえ板４２を位置決めするためのステップ３２ｃ及びリブ３２ｄが上下に２個設けられている。押さえ板４２には、連結ピン３３の先端部３３ａを挿入するための開口４２ａと、位置決め凹４２ｂとが設けられている。開口４２ａは３個、位置決め凹４２ｂは上下に２個設けられている。押さえ板４２の位置決め凹４２ｂを下カバー３２のリブ３２ｄに挿入することにより、押さえ板４２が位置決めされる。
【００２０】
図４及び図６に示すように、連結ピン４０の先端部４０ａには、フック４０ｄが２個設けられ、へこみ孔４０ｅが形成されている。先端部４０ａが先端収納部３２ａに収納されると、フック４０ｄと押さえ板４２とにより、先端部４０ａが抜けないようになり、上カバー３１と下カバー３２とが連結される。切断部４０ｂには、第１突起４０ｆと第２突起４０ｇとがそれぞれ２個設けられている。後端部４０ｃは、その外周が後端部収納室３１ｂの内壁に密着するように形成されており、これにより、連結ピン４０のがたつきがなくなる。フック４０ｄ、第１突起４０ｆ、第２突起４０ｇをそれぞれ２個設けたが、これに限定されることなく、適宜変更してもよい。
【００２１】
図６に示すように、連結ピン４０は、大開口３１ｅから挿入され、後端部収納室３１ｂ、小開口３１ｄ、切断部収納室３１ａ、開口４２ａを通り、先端部収納室３２ａに先端部４０ａが収納される。フック４０ｄが小開口３１ｄ及び開口４２ａを通過するときには、フック４０ｄはへこみ孔４０ｅにより内側方向に変形され、小開口３１ｄ及び開口４２ａを通過させることができる。先端部４０ａが先端部収納室３２ａに収納されると、切断部４０ｂは切断部収納室３１ａに収納され、後端部４０ｃは後端部収納室３１ｂに収納される。したがって、後端部４０ｃが不正操作されることがない。
【００２２】
上記のように構成されたパチンコ機の作用について説明する。主制御装置１５を交換するには、上カバー３１を下カバー３２から取り外す必要がある。図７に示すように、先ず、ニッパ等の治具を用いて下カバー３２の後側から連結ピン４０の切断部４０ｂを切断する。切断部４０ｂが切断されると、蝶番３５で回動することにより上カバー３１を開閉することができる。このとき、切断された連結ピン４０の先端部４０ａはフック４０ｄと第１突起４０ｆとにより先端部収納室３２ａに脱不可状態で残され、後端部４０ｃは第２突起４０ｇにより後端部収納室３１ｂに脱不可状態で残される。したがって、遊技者が主制御装置１５を不正に交換して、再度上カバー３１を下カバー３２に連結しようとしても、連結ピン４０は切断されており、再利用することができない。また、連結ピン４０を不正に複製したとしても、切断された先端部４０ａが先端部収納室３２ａに、切断された後端部４０ｃが後端部収納室３１ｂにそれぞれ残っているため、複製した連結ピン４０を挿入することができない。
【００２３】
上カバー３１は透明な樹脂から形成され、その内部が視認可能となっているから、連結ピン４０の切断の有無により、主制御装置１５の不正な交換の有無を把握することができる。例えば、連結ピン４０が切断され、切断された先端部４０ａが先端部収納室３２ａに、切断された後端部４０ｃが後端部収納室３１ｂにそれぞれ残っていれば、主制御装置１５の不正な交換が行われたと判断することができる。
【００２４】
なお、上記実施形態では、上カバー３１に連結ピン４０の切断部４０ｂを収納する切断部収納室３１ａと後端部４０ｃを収納する後端部収納室３１ｂとを設け、下カバー３２に先端部４０ａを収納する先端部収納室３２ａを設ける構成にしたが、上カバー３１に先端部４０ａを収納する先端部収納室を設け、下カバー３２に切断部４０ｂを収納する切断部収納室と後端部４０ｃを収納する後端部収納室とを設ける構成にしてもよい。この場合には、上カバー３１及び下カバー３２を透明な樹脂から形成することにより、閉鎖時にその内部が視認可能となる。
【００２５】
また、上記実施形態では、本発明を用いた防犯カバーユニット２０を設け、主制御装置１５を収容し、主制御装置１５の不正交換を把握する構成にしたが、本発明を用いて不正交換を把握するものとしては主制御装置１５に限られず、例えば、副制御装置１６を収容する防犯カバーユニットを設け、副制御装置１６の不正交換を判別する構成にしてもよい。
【図面の簡単な説明】
【００２６】
【図１】本発明を実施したパチンコ機の外観を示す斜視図である。
【図２】図１に示したパチンコ機の背面側からの外観を示す斜視図である。
【図３】図１に示したパチンコ機内部の電気的構成を示す機能ブロック図である。
【図４】防犯カバーユニットと主制御装置とを示す斜視図である。
【図５】防犯カバーユニットを示す分解斜視図である。
【図６】防犯カバーユニットを示す断面図である。
【図７】連結ピン切断後の防犯カバーユニットを示す断面図である。
【符号の説明】
【００２７】
２  パチンコ機
３  本体枠
４  遊技盤
１５  主制御装置
１６  副制御装置
２０  防犯カバーユニット
３１  上カバー
３１ａ  切断部収納室
３１ｂ  後端部収納室
３１ｃ  主制御装置収納室
３２  下カバー
３２ａ  先端部収納室
３２ｂ  主制御装置収納室
３３  上カバー軸受部
３４  下カバー軸受部
３５  蝶番
４０  連結ピン
４０ａ  先端部
４０ｂ  切断部
４０ｃ  後端部
【図１】
2005080685.tif 000003
【図２】
2005080685.tif 000004
【図３】
2005080685.tif 000005
【図４】
2005080685.tif 000006
【図５】
2005080685.tif 000007
【図６】
2005080685.tif 000008
【図７】
2005080685.tif 000009